(57)【要約】【課題】車載用音響装置の正面の外観構成を自由に変更することができるようにする。【解決手段】車両に搭載される音響装置本体２と、少なくとも１つの操作子７を有する複数の操作ブロック片６とを有し、各操作ブロック片６が前記音響装置本体２の操作部５を構成すると共に、前記音響装置本体２に着脱自在に設けられている。【選択図】図２
2007245997.tif 000002
【特許請求の範囲】
【請求項１】
車両に搭載される音響装置本体と、
少なくとも１つの操作子を有する複数の操作ブロック片とを有し、
各操作ブロック片が前記音響装置本体の操作部を構成すると共に、前記音響装置本体に着脱自在に設けられていることを特徴とする車載用音響装置。
【請求項２】
請求項１に記載の車載用音響装置において、
前記操作子によって操作される操作対象ごとに区分けされた複数のコネクタ挿入口が前記音響装置本体に設けられ、前記操作ブロック片に設けられたコネクタ端子が連結されるコネクタ挿入口によって当該操作ブロック片の前記操作対象が規定される
ことを特徴とする車載用音響装置。
【請求項３】
請求項２に記載の車載用音響装置において、
前記複数のコネクタ挿入口が前記操作ブロック片ごとに設けられると共に、
同一の前記操作対象に区分けされた前記コネクタ挿入口同士が共通信号線を介して前記音響装置本体に内蔵された制御回路に接続されている
ことを特徴とする車載用音響装置。
【請求項４】
請求項１乃至３のいずれかに記載の車載用音響装置において、
前記コネクタ端子には、前記操作子の操作量を伝送する信号線と、前記音響装置本体から前記操作ブロック片に電力を供給する電力線とを備える
ことを特徴とする車載用音響装置。
【請求項５】
請求項１乃至４のいずれかに記載の車載用音響装置において、
前記音響装置本体の正面に、前記操作ブロック片の１個分の取付スペースを複数並設し、前記操作ブロック片を複数の前記取付スペースにわたって取付自在に構成した
ことを特徴とする車載用音響装置。
【発明の詳細な説明】
【技術分野】
【０００１】
本発明は、車載用音響装置に係り、特に、ユーザの趣味や嗜好に合わせた使い方を可能にするための技術に関する。
【背景技術】
【０００２】
一般に、カーオーディオ等の車両に搭載される車載用音響装置には、各種情報を表示する表示パネルや、車載用音響装置を操作するための各種の操作子が配設されている（例えば、特許文献１参照）。
【特許文献１】特開平０８−２５０９４６号公報
【発明の開示】
【発明が解決しようとする課題】
【０００３】
しかしながら、上記従来の技術にあっては、車載用音響装置本体の正面は、常に一定の外観を構成しており、ユーザの趣味や嗜好に応じて自由に外観を変更することができなかった。  本発明は、上述した事情に鑑みてなされたものであり、車載用音響装置の正面の外観構成を自由に変更することができる車載用音響装置を提供することを目的とする。
【課題を解決するための手段】
【０００４】
上記目的を達成するために、本発明は、車両に搭載される音響装置本体と、少なくとも１つの操作子を有する複数の操作ブロック片とを有し、各操作ブロック片が前記音響装置本体の操作部を構成すると共に、前記音響装置本体に着脱自在に設けられていることを特徴とする車載用音響装置を提供する。
【０００５】
また本発明は、上記発明において、前記操作子によって操作される操作対象ごとに区分けされた複数のコネクタ挿入口が前記音響装置本体に設けられ、前記操作ブロック片に設けられたコネクタ端子が連結されるコネクタ挿入口によって当該操作ブロック片の前記操作対象が規定されることを特徴とする。
【０００６】
また本発明は、上記発明において、前記複数のコネクタ挿入口が前記操作ブロック片ごとに設けられると共に、同一の前記操作対象に区分けされた前記コネクタ挿入口同士が共通信号線を介して前記音響装置本体に内蔵された制御回路に接続されていることを特徴とする。
【０００７】
また本発明は、上記発明において、前記コネクタ端子には、前記操作子の操作量を伝送する信号線と、前記音響装置本体から前記操作ブロック片に電力を供給する電力線とを備えることを特徴とする。
【０００８】
また本発明は、上記発明において、前記音響装置本体の正面に、前記操作ブロック片の１個分の取付スペースを複数並設し、前記操作ブロック片を複数の前記取付スペースにわたって取付自在に構成したことを特徴とする。
【発明の効果】
【０００９】
本発明によれば、操作子を有する複数の操作ブロック片が音響装置本体の操作部を構成すると共に、各操作ブロック片が音響装置本体に着脱自在に設けられているため、各操作ブロック片を趣味や嗜好、ユーザの使い勝手に合わせて適宜変更することで自由に外観を変えることができる。
【発明を実施するための最良の形態】
【００１０】
以下、図面を参照して本発明の実施の形態について説明する。
図１は本実施形態に係る車載用音響装置１の外観構成を示す図である。この図に示すように、車載用音響装置１は、車両のダッシュボードに設けられた所定の収納スペースに嵌め込まれる装置本体（音響装置本体）２を備え、この装置本体２の正面には、ＣＤやＤＶＤ等の光ディスクを挿脱するディスクトレイ３と、再生中の楽曲情報やメニュー画面等の各種情報を表示する表示パネル４と、複数の操作子７を有する操作部５とが設けられている。
【００１１】
操作部５は複数の操作ブロック片６を有して構成され、図２に示すように、各操作ブロック片６は同一寸法の略箱形に形成され、その正面には少なくとも１つの操作子７が配設されており、装置本体２に形成された取付部８に係脱自在に設けられている。
取付部８は複数個（図示例では５個）の操作ブロック片６を収容可能な寸法の箱形に形成されている。より具体的には、図３に示すように、この取付部８には、１個の操作ブロック片６を取り付けるための取付スペース８Ａが複数並設されている。各取付スペース８Ａには、操作ブロック片６の背面に設けられたコネクタ端子１０が挿入されて連結されるコネクタ挿入部９が形成されている。
【００１２】
このコネクタ挿入部９には、複数（図示例では３つ）のコネクタ挿入口９Ａ〜９Ｃが形成されている。このとき、コネクタ挿入口９Ａ〜９Ｃのそれぞれは互いに、取付スペース８Ａの中心Ｏを通る水平線Ｈおよび垂直線Ｖに対して線対称な位置からずれて配設されており、天地が逆の姿勢になされた操作ブロック片６に対しては、そのコネクタ端子１０の位置がコネクタ挿入口９Ａ〜９Ｃからずれるため、操作ブロック片６の誤挿入が防止されるようになっている。
【００１３】
操作ブロック片６は、図４に示すように、その上面（天面）６Ａに、引掛溝１３が形成されており、この引掛溝１３に指先等を引っ掛けて取付部８から操作ブロック片６を取り外せるようになされている。また、操作ブロック片６の背面には、図３及び図４に示すように、１個の上記コネクタ端子１０が設けられている。コネクタ端子１０には、信号線１１と電力線１２とが設けられており、信号線１１を介して操作子７の操作量が装置本体２に送出され、また、装置本体２から供給される電力が電力線１２を介して操作ブロック片６に伝送される。このように、装置本体２から操作ブロック片６に電力を供給する構成とすることで、操作ブロック片６が電池を内蔵させる必要がない。
【００１４】
ここで、上記操作ブロック片６のコネクタ端子１０が上記複数のコネクタ挿入口９Ａ〜９Ｃのどれに挿入されるかで、当該操作ブロック片６の操作対象が規定される。すなわち、本実施形態では、コネクタ挿入口９Ａにはボリューム（音量）調整用の操作子、コネクタ挿入口９Ｂにはプリセット（既定設定値）選択・調整用の操作子、また、コネクタ挿入口９Ｃにはオーディオ機能等の当該車載用音響装置１が備える各種機能（ファンクション）の選択用の操作子を接続することとしている。
【００１５】
換言すれば、コネクタ挿入口９Ａに挿入されるコネクタ端子１０Ａを備える操作ブロック片６はボリューム調整用操作子６Ａとして機能し、コネクタ挿入口９Ｂに挿入されるコネクタ端子１０Ｂを備える操作ブロック片６がプリセット選択・調整用操作子６Ｂとして機能し、また、コネクタ挿入口９Ｃに挿入されるコネクタ端子１０Ｃを備える操作ブロック片６がファンクション選択用操作子６Ｃとして機能する。
このとき、各操作ブロック片６に設けられる操作子７の種類としては、その操作ブロック片６の操作対象に限らず、例えば、ボタンスイッチや、ロッカスイッチ、スライドスイッチ、ロータリスイッチ、セレクトスイッチといった適宜の操作子を用いることができる。
【００１６】
次いで、車載用音響装置１の機能的構成について説明する。
図５は車載用音響装置１の機能的構成を示すブロック図である。なお、この図には、図面が煩雑になるのを避けるために、本実施形態の操作部５に係る構成のみを図示しているが、実際には、図示の構成の他にも、光ディスク駆動回路や、音声信号をデコードするデコード回路、復調回路、増幅回路等の一般的な音響装置が備える各種回路を有している。
図５に示すように、操作ブロック片６は、上記操作子７及びコネクタ端子１０の他に、操作量検出回路２０を備えている。操作量検出回路２０は、電力線１２を介して電力が供給され、操作子７の操作量に応じた信号をコネクタ端子１０に出力する回路である。この操作量検出回路２０には、操作子７の種類に応じた検出回路が用いられ、例えば、操作子７がボタンスイッチやロッカスイッチである場合には、操作子７の操作に連動するオン／オフ接点回路が操作量検出回路２０に用いられ、また、操作子７がロータリスイッチである場合には、操作子７の回転に伴って可動する可動接触子が、円形状に配置された固定接触子を順次接触するように構成された回路が操作量検出回路２０に用いられる。
【００１７】
装置本体２は、車載用音響装置１の各部を制御する制御回路３０と、車両のＡＣＣ電源からの電力を伝送する電源ライン３１と、５つの上記コネクタ挿入部９を有し、各コネクタ挿入部９には、コネクタ挿入口９Ａ〜９Ｃが設けられている。電源ライン３１には、上記制御回路３０や図示せぬ各種回路が接続されると共に、各コネクタ挿入部９のコネクタ挿入口９Ａ〜９Ｃに接続されており、操作ブロック片６のコネクタ端子１０がコネクタ挿入口９Ａ〜９Ｃに挿入された場合に、電源ライン３１がコネクタ端子１０の電力線１２と電気的に接続されて、操作ブロック片６に電力を供給する。なお、コネクタ挿入部９と電源ライン３１との間には、電圧調整用の抵抗素子等が介挿されている。
【００１８】
また、制御回路３０と、各コネクタ挿入口９Ａ〜９Ｃとは、第１〜第３共通信号線３２Ａ〜３２Ｃの３つの信号線で接続されており、各コネクタ挿入口９Ａが第１共通信号線３２Ａに、各コネクタ挿入口９Ｂが第２共通信号線３２Ｂに、各コネクタ挿入口９Ｃが第３共通信号線３２Ｃにそれぞれ接続されている。すなわち、第１共通信号線３２Ａにはボリューム調整用操作子６Ａの操作量のみが、第２共通信号線３２Ｂにはプリセット選択・調整用操作子６Ｂの操作量のみが、また、第３共通信号線３２Ｃにはファンクション選択用操作子６Ｃの操作量のみがそれぞれ伝送される。
【００１９】
そして、制御回路３０は、第１共通信号線３２Ａを介して操作ブロック片６（ボリューム調整用操作子６Ａ）から操作量が入力された場合には、当該操作量に応じて音声出力信号の大きさを調整し、第２共通信号線３２Ｂを介して操作ブロック片６（プリセット選択・調整用操作子６Ｂ）から操作量が入力された場合には、当該操作量に応じてプリセット値の選択・調整動作を実行し、また、第３共通信号線３２Ｃを介して操作ブロック片６（ファンクション選択用操作子６Ｃ）から操作量が入力された場合には、当該操作量に応じてファンクションの選択動作を実行する。
これにより、制御回路３０は、操作ブロック片６が送出する操作量が何の操作に対するものであるかを判断せずとも、操作に対応する処理を適切に実行することができる。
【００２０】
以上説明したように、本実施形態によれば、操作子７を有する複数の操作ブロック片６が装置本体２の操作部５を構成すると共に、各操作ブロック片６が装置本体２に係脱自在に設けた構成としたため、各操作ブロック片６を趣味や嗜好、使い勝手に合わせてユーザが適宜変更し、自由に外観を変えることができる。
【００２１】
また、本実施形態によれば、操作子７の操作対象ごとに区分けされた複数のコネクタ挿入口９Ａ〜９Ｃを装置本体２に設け、操作ブロック片６に設けられたコネクタ端子１０が連結されるコネクタ挿入口９Ａ〜９Ｃによって当該操作ブロック片６の操作対象を規定する構成としたため、操作ブロック片６には、操作対象を選択・決定するための回路等が不要となる。
【００２２】
また、本実施形態によれば、複数のコネクタ挿入口９Ａ〜９Ｃが操作ブロック片６ごとに設けられると共に、同一の前記操作対象に区分けされたコネクタ挿入口９Ａ〜９Ｃ同士が第１〜第３共通信号線３２Ａ〜３２Ｃを介して装置本体２に内蔵された制御回路３０に接続される構成としたため、制御回路３０は、操作ブロック片６が送出する操作量が何を操作対象としたものであるかを個別に判断せずとも、第１〜第３共通信号線３２Ａ〜３２Ｃに対応した処理を実行するだけで、操作に対して適切な処理を実行することができる。これにより、制御回路３０及び操作ブロック片６の回路設計が容易となると共に、ユーザが意図せぬ操作対象が操作されてしまうといった誤動作等の不具合が発生する可能性を低く抑えることができる。
【００２３】
また、本実施形態によれば、コネクタ端子１０には、操作子７の操作量を伝送する信号線１１と、装置本体２から操作ブロック片６に電力を供給する電力線１２とを備える構成としたため、操作ブロック片６に電池等を内蔵させる必要がなく、回路構成を簡素化し、コストを抑えることができる。
【００２４】
また、本実施形態によれば、装置本体２の正面に、操作ブロック片６の１個分の取付スペース８Ａを複数並設し、それぞれに操作ブロック片６を取付自在としたため、操作ブロック片６を取り付ける取付スペース８Ａを適宜変更することで、ユーザの使い易いように操作子７の配置を変更することができる。
特に、車両によって、運転席（ハンドル）の位置が車体の右側に配置されたり、或いは、左側に配置されたりしており、運転席の配置位置と、装置本体２の操作子７の配置との関係によっては、運転席から車載用音響装置を操作し難い事があるが、本実施形態によれば、ユーザが適宜操作子７の配置を変更し、使い勝手を向上させることができる。
【００２５】
なお、上述した実施形態は、あくまでも本発明の一態様を示すものであり、本発明の範囲内で任意に変形及び応用が可能である。
例えば、上述した実施形態では、複数の操作ブロック片６を互いに同一寸法に構成した場合を例示したが、これに限らない。すなわち、図６に示すように、車載用音響装置１００において、２つの取付スペース８Ａにわたる寸法で１個の操作ブロック片６０Ａを構成したり、或いは、３つの取付スペース８Ａにわたる寸法で１個の操作ブロック片６０Ｂを構成するなどしても良い。
【図面の簡単な説明】
【００２６】
【図１】本発明の実施形態に係る車載用音響装置の外観構成を示す図。
【図２】車載用音響装置の操作部の係脱を示す図。
【図３】操作ブロック片の取付部の構成を示す図。
【図４】操作ブロック片の構成を示す図。
【図５】車載用音響装置の機能的構成を示す図。
【図６】本発明の変形例を示す図。
【符号の説明】
【００２７】
１、１００  車載用音響装置
２  装置本体（音響装置本体）
５  操作部
６  操作ブロック片
７  操作子
８  取付部
８Ａ  取付スペース
９  各コネクタ挿入部
９Ａ〜９Ｃ  コネクタ挿入口
１０  コネクタ端子
１１  信号線
１２  電力線
３０  制御回路
３２Ａ〜３２Ｃ  共通信号線
【図１】
2007245997.tif 000003
【図２】
2007245997.tif 000004
【図３】
2007245997.tif 000005
【図４】
2007245997.tif 000006
【図５】
2007245997.tif 000007
【図６】
2007245997.tif 000008